(57)【要約】【課題】  十分なマイナスイオンの発生により、持続性を持った血行促進効果が得られ、身体の各部に貼付しやすい柔軟性のある素材からなり、化学繊維などを使用せずに、天然素材からなり安心して使用できる、血行促進材、マイナスイオン発生材を提供することを課題とするものである。【解決手段】  織布、不織布、紙、あるいは合成樹脂シートよりなるベースシートのいずれか一方、又は両方の面に、天然鉱石を微粉末状に粉砕したパウダーを配合してなる接着剤を薄い層状、又は点在状に形成してなることを特徴とするシート状血行促進材とし、また、天然接着剤に対して２０〜８０重量％の０．１〜１．０μｍに微粉砕した天然鉱石パウダーを混合してマイナスイオン発生組成物を製造し、天然繊維から成るシートのいずれか一方、又は両方の面に、該マイナスイオン発生組成物を塗布して薄膜層を形成することを特徴とするシート状血行促進材の製造方法とした。【選択図】  図１
2010279518.tif 000002
【特許請求の範囲】
【請求項１】
織布、不織布、紙、あるいは合成樹脂シートよりなるベースシートのいずれか一方、又は両方の面に、天然鉱石を微粉末状に粉砕したパウダーを配合してなる接着剤を薄い層状、又は点在状に形成してなることを特徴とするシート状血行促進材。
【請求項２】
前記の天然鉱石によるパウダーの平均粒径が０．１〜１．０μｍの微粉末であることを特徴とする請求項１に記載のシート状血行促進材。
【請求項３】
前記の天然鉱石のパウダーの配合割合が接着剤に対して２０〜８０重量％であることを特徴とする請求項１又は請求項２に記載のシート状血行促進材。
【請求項４】
シート表面において、マイナスイオンの発生が２０００〜２５００個／ｃｍ2であることを特徴とする請求項１から請求項３までのいずれかの項に記載のシート状血行促進材。
【請求項５】
天然接着剤に対して２０〜８０重量％の０．１〜１．０μｍに微粉砕した天然鉱石パウダーを混合してマイナスイオン発生組成物を製造し、天然繊維から成るシートのいずれか一方、又は両方の面に、該マイナスイオン発生組成物を塗布して薄膜層を形成することを特徴とするシート状血行促進材の製造方法。
【請求項６】
前記の天然繊維シートに対するマイナスイオン発生組成物の塗布量は、１０ｃｍ2に対して０．０５〜０．１ｇであることを特徴とする請求項５に記載のシート状血行促進材の製造方法。
【請求項７】
水性塗料に対して、０．１〜１．０μｍに微粉砕した天然鉱石パウダーが１０〜３０重量％混合されており、マイナスイオンの発生が１５００〜１７００個／ｃｍ2であることを特徴とするマイナスイオン発生塗料。
【発明の詳細な説明】
【技術分野】
【０００１】
本発明は、足の裏や、ひじ、ひざの周囲、肩、腰などの身体の患部に貼り付けて使用し、患部の血行を促進することに有効なシート状血行促進材及びその製造方法に関する。
【背景技術】
【０００２】
従来より、健康器具として、血行を促進し、肩こりや腰痛などを緩和する目的で種々の器具が開発されている。
【０００３】
サリチル酸メチル、メントールのような薬効成分を粘着剤の中に練り混んで、これを薄い基布の表面に塗布した膏薬が一般に用いられている。また、湿布剤や磁気製品、遠赤外線放射製品、マイナスイオン発生製品なども広く市販されている。
【０００４】
特開平２００４−３１５５９２号公報では、マイナスイオンを発生する鉱物の微粉末を粘着剤中に分散、配合した粘着性シート状物とし、人体の皮膚に直接貼付することが可能で、マイナスイオンを照射することができ、血行を促進することで体温の上昇。自然治癒力の向上を図ることができる粘着性のシート状物が開示されている。
【先行技術文献】
【特許文献】
【０００５】
【特許文献１】特開２０００−３１５５９２号公報
【発明の概要】
【発明が解決しようとする課題】
【０００６】
このように、薬効成分を練り込んだ粘着剤を薄い層状をなすように基布の表面に塗布した貼付シート類は既に知られている。しかしながら、これら従来の膏薬や、血行促進用貼付シートを用いたとしても、効能に持続性がなく比較的短時問で効果が薄れるという問題点があり、満足し得る充分な血行促進効果は期待できなかった。
【０００７】
また、上記のマイナスイオンを発生させるシート状物においては、希土類元素酸化物を多く含む鉱物として、モナズ石、バストネス石などを使用するが、マイナスイオンの発生量は、５００〜１０００個／ｃｍ2程度であり、十分なマイナスイオンの発生量とはいえない。
【０００８】
本発明は、十分なマイナスイオンの発生により、持続性を持った血行促進効果が得られ、身体の各部に貼付しやすい柔軟性のある素材からなり、化学繊維などを使用せずに、天然素材からなり安心して使用できる、血行促進材、マイナスイオン発生材を提供することを目的とするものである。
【課題を解決するための手段】
【０００９】
本発明は諸課題を解決するために、請求項１では、織布、不織布、紙、あるいは合成樹脂シートよりなるベースシートのいずれか一方、又は両方の面に、天然鉱石を微粉末状に粉砕したパウダーを配合してなる接着剤を薄い層状、又は点在状に形成してなることを特徴とするシート状血行促進材とするものである。
【００１０】
該ベースシートに用いる織布、不織布、紙は、天然素材のものが好ましい。
【００１１】
該天然鉱石パウダーを混合する接着剤は、いずれの接着剤でも良いが、天然接着剤が好ましい。例えば、天然素材からなる水性ボンドや（株）イオン製の天然接着剤などが使用できる。
【００１２】
また、天然鉱石パウダーを配合した接着剤による薄膜層の形成には、刷毛塗りやスプレー塗布などいずれの方法により、形成しても良く、表面が微小凹凸状を呈するように点在状に形成してもよい。また、網状や筋状に形成しても良い。
【００１３】
請求項２では、前記の天然鉱石によるパウダーの平均粒径が０．１〜１．０μｍの微粉末であることを特徴とするシート状血行促進材とするものである。
【００１４】
微粉末とすることで、マイナスイオンの発生面積が増え、発生量が強化され、かつが均一となる。
【００１５】
請求項３では、前記の天然鉱石のパウダーの配合割合が接着剤に対して２０〜８０重量％であることを特徴とするシート状血行促進材とするものである。
【００１６】
配合割合が２０％以下では、十分なマイナスイオンの発生は期待できない。８０％以上では、発生量の変化はほとんどない。
【００１７】
請求項４では、シート表面において、マイナスイオンの発生が２０００〜２５００個／ｃｍ2であることを特徴とするシート状血行促進材とするものである。
【００１８】
血行促進に効果を発揮するマイナスイオンの発生量としては、１０００個／ｃｍ2以上が好ましく、実用的な治療効果としては、２０００個／ｃｍ2以上が良い。
【００１９】
請求項５では、天然接着剤に対して２０〜８０重量％の０．１〜１．０μｍに微粉砕した天然鉱石パウダーを混合してマイナスイオン発生組成物を製造し、天然繊維から成るシートのいずれか一方、又は両方の面に、該マイナスイオン発生組成物を塗布して薄膜層を形成することを特徴とするシート状血行促進材の製造方法とするものである。
【００２０】
請求項６では、前記の天然繊維シートに対するマイナスイオン発生組成物の塗布量は、１０ｃｍ2に対して０．０５〜０．１ｇであることを特徴とするシート状血行促進材の製造方法とするものである。
【００２１】
塗布量が０．０５ｇ以下では、マイナスイオンの発生による十分な血行促進効果は期待できない。０．１ｇ以上では、マイナスイオンの発生が２５００個／ｃｍ2以上となり、血行促進効果は十分である。
【００２２】
請求項７では、水性塗料に対して、０．１〜１．０μｍに微粉砕した天然鉱石パウダーが１０〜３０重量％混合されており、マイナスイオンの発生が１５００〜１７００個／ｃｍ2であることを特徴とするマイナスイオン発生塗料とするものである。
【００２３】
水性塗料は、天然素材による水性塗料が好ましい。微粉末にすることにより、マイナスイオンの発生面積が増大し、発生量が強化され、均一に発生する。
【発明の効果】
【００２４】
本発明は以下の効果を奏する。
１）天然鉱石のパウダーであり、持続性を持った血行促進材を提供できる。
【００２５】
２）ベースシートが柔軟性素材であるため、皮膚に直接貼り付けても違和感がなく、使いやすい。
【００２６】
３）裁断して使用できるので、患部のサイズに合わせて適切なサイズで使用できる。
【００２７】
４）微粉末パウダーのため、表面の質感がよく、肌触りが良い。
【００２８】
５）マイナスイオンが十分に発生しており、血行促進効果が高い。
【００２９】
６）天然繊維に僅かな塗布量で効果的な血行促進材を提供できる。
【００３０】
７）製作が容易である。
【００３１】
８）マイナスイオン発生量の高い塗料を提供できる。
【図面の簡単な説明】
【００３２】
【図１】本発明によるシート状血行促進材の製造工程を示すフロー図である。
【発明を実施するための形態】
【００３３】
本発明の実施の形態について図面を用いて説明する。
図１は、本発明によるシート状血行促進材の製造工程を示すフロー図である。
【００３４】
１）天然鉱石採取
天然鉱石を採取し、土や汚れを水洗いする。
【００３５】
２）微粉砕処理
天然鉱石を粒径が０．０５〜０．１μｍに粉砕処理装置で微粉砕し、天然石パウダーを得る。
【００３６】
３）天然接着剤
天然素材による水性木工ボンドを準備する。
【００３７】
４）希釈処理
上記の水性木工ボンドに水で希釈する。スプレー塗布が可能な程度に希釈する。
【００３８】
５）混合処理
上記の天然石パウダー５００ｇと、天然接着剤１ｋｇとを混合する。
【００３９】
６）マイナスイオン発生組成物
混合処理により、水溶性の接着剤溶液によるマイナスイオン発生組成物が得られる。
【００４０】
７）天然繊維に塗布
天然繊維（綿１００％の生地）に上記のマイナスイオン発生組成物をスプレー装置により、薄く均一に塗布する。１０ｃｍ2にマイナスイオン発生組成物が０．１ｇ程度となるように、薄く塗布する。
【００４１】
８）乾燥処理
塗布後、自然乾燥させる。繊維に影響がないものであれば、温風乾燥装置などの乾燥手段を使用しても良い。
【００４２】
９）裁断処理
使用する身体の患部に合わせて、適度な大きさ、及び形状に裁断する。膝あてとして使用する場合には、円形に裁断すると良い。肩用の場合には、方形に裁断しても良い。
【００４３】
次にこの花茶の使用例について説明する。図２は、本発明の花茶の使用例を示す概略図である。
【００４４】
１０）シート状血行促進材
裁断処理により、適度な形状とサイズに裁断してシート状血行促進材の完成となる。
【００４５】
このようにして製造されたシート状血行促進材は、肩こりや腰痛など血行促進により緩和できる身体の患部に貼付することにより、マイナスイオン効果により症状が改善するものである。
【００４６】
また、ブラジャーのパットポケットに、本シート状血行促進材を円形に裁断したものを入れて使用することができる。女性の肩こりの原因の多くは、ブラジャーの吊り紐によるものといわれている。本シート状血行促進材を使用することにより、マイナスイオン効果により血行がよくなり、肩こりが改善される。
【００４７】
本シート状血行促進材は、天然素材を使用しているため、抗菌・消臭作用もある。また、女性の乳がんにも予防効果が期待できる。
【００４８】
また、上記の天然石パウダーを水性塗料に混合することにより、マイナスイオン発生塗料とすることができる。
【００４９】
水性塗料１８ｋｇに天然石パウダーを３ｋｇ混合してマイナスイオン塗料とした。この塗料を室内の壁面にスプレー塗布した。
【００５０】
近年、住宅の内壁材の化学物質によるシック症候群などが問題となっているが、本マイナスイオン塗料を塗布することにより、室内にマイナスイオンを発生させるとともに、内壁材の中の化学物質を中和する働きもある。
【産業上の利用可能性】
【００５１】
マイナスイオン発生組成物として、種々のものに混合することが可能である。電化製品の電磁波消去用のプレートや、携帯電話機の電磁波防止フィルムなどにも多品種に応用可能である。
【符号の説明】
【００５２】
１  天然鉱石採取
２  微粉末処理
３  混合処理
４  天然鉱石採取
５  希釈工程
６  混合処理
７  天然繊維に塗布
８  乾燥処理
９  裁断処理
１０  シート状血行促進材
【図１】
2010279518.tif 000003